(57)【要約】【課題】重ね合わせ面を剥離しても直ちには隠蔽情報を視認できない隠蔽情報所持体を提供する。【課題の解決手段】隠蔽情報所持体は、二枚の紙片２，３を、一定以上の圧を加えると接着し接着後に剥離可能な感圧性接着剤１１を介して、剥離可能に接着し、重ね合わせ面には他人には知られたくない隠蔽情報５，７を表示してなり、重ね合わせ面の一方に表示した隠蔽情報５に対して、疑似接着層１２を介して剥離可能に接着してなる二枚の透明なフィルム１３，１４の一方１４を裏面側に接着してなる隠蔽ラベル６を、他方のフィルム１３を介して接着したうえ、折り用ミシン目４で重ね合わせ面を折り重ねて剥離可能に接着してなるものである。【選択図】　　図３
2004122417.tif 000002
【特許請求の範囲】
【請求項１】
複数枚の紙片を剥離可能に接着し、重ね合わせ面には隠蔽情報を表示してなる隠蔽情報所持体であって、重ね合わせ面に表示した隠蔽情報に対して隠蔽ラベルを剥離可能に接着したうえ、重ね合わせ面を剥離可能に接着してなることを特徴とする隠蔽情報所持体。
【請求項２】
複数枚の紙片を、一定以上の圧を加えると接着し接着後に剥離可能な感圧性接着剤を介して、剥離可能に接着し、重ね合わせ面には隠蔽情報を表示してなる隠蔽情報所持体であって、重ね合わせ面の一方に表示した隠蔽情報に対して、疑似接着層を介して剥離可能に接着してなる二枚の透明なフィルムの一方を裏面側に接着してなる隠蔽ラベルを、他方のフィルムを介して接着したうえ、重ね合わせ面を剥離可能に接着してなることを特徴とする隠蔽情報所持体。
【発明の詳細な説明】
【０００１】
【発明の属する技術分野】
本発明は、他人には知られたくない隠蔽情報を隠蔽した状態で伝達するための隠蔽情報所持体に関する。
【０００２】
【従来の技術】
従来からこの種隠蔽情報所持体は多くの構成が知られているが、二枚あるいは三枚の紙片の重ね合わせ面を剥離することにより、重ね合わせ面に表示していた隠蔽情報を視認可能にするよう構成するのが一般的である。そして、折り用ミシン目を介して連接した二枚あるいは三枚の紙片を折り重ねる構成、あるいは、別体の二枚あるいは三枚の紙片ものを重ね合わせる構成があり、また、重ね合わせ面を形成する一方の紙片が隠蔽情報を表示する情報表示片で、他方がこれを隠蔽する隠蔽片の場合と、双方が情報表示片と隠蔽片を兼ねる場合があるが、どのような構成であっても、重ね合わせ面を剥離すると、隠蔽されていた隠蔽情報は視認可能となるものである（例えば、特許文献１，２，３参照）。
【０００３】
【特許文献１】
特許第２８８３９８４号公報（図８）
【特許文献２】
実用新案登録第２５９４９９６号公報（図４，図８）
【特許文献３】
特開平３−１０４６９７号公報（図１〜図５）
【０００４】
【発明が解決しようとする課題】
従来においては、重ね合わせ面を剥離すると直ちに、隠蔽されていた隠蔽情報が視認可能となるので、場合によっては、重ね合わせ面を剥離した時に、隠蔽情報を他人に見られてしまうという不都合があった。本発明はこの不都合を解消した隠蔽情報所持体を提供することを目的とする。
【０００５】
【課題を解決するための手段】
この目的を達成するため、本発明の請求項１に係る隠蔽情報所持体は、複数枚、例えば二枚の紙片を剥離可能に接着し、重ね合わせ面には隠蔽情報を表示してなる隠蔽情報所持体であって、重ね合わせ面に表示した隠蔽情報に対して隠蔽ラベルを剥離可能に接着したうえ、重ね合わせ面を剥離可能に接着してなるものである。
【０００６】
同じく上記目的を達成するために、本発明の請求項２に係る隠蔽情報所持体は、複数枚、例えば二枚の紙片を、一定以上の圧を加えると接着し接着後に剥離可能な感圧性接着剤を介して、剥離可能に接着し、重ね合わせ面には隠蔽情報を表示してなる隠蔽情報所持体であって、重ね合わせ面の一方に表示した隠蔽情報に対して、疑似接着層を介して剥離可能に接着してなる二枚の透明なフィルムの一方を裏面側に接着してなる隠蔽ラベルを、他方のフィルムを介して接着したうえ、重ね合わせ面を剥離可能に接着してなるものである。
【０００７】
【発明の実施の形態】
以下、本発明を隠蔽葉書に適用した実施形態を添付図面に基づいて詳細に説明する。ここにおいて、図１は葉書形成前のシート状態における重ね合わせ面側を示す平面図、図２は同じく表出面側を示す平面図、図３は図１のＡ−Ａ線断面図、図４は隠蔽葉書を示す斜視図、図５は重ね合わせ面を剥離して隠蔽ラベルを剥離した状態を示す平面図である。
【０００８】
図１〜図３に示すように、隠蔽葉書用シート１は、上紙片２と下紙片３を折り用ミシン目４を介して連接してなる。図１、図３及び図５に示すように、上紙片２重ね合わせ面側には、「お支払い残高通知」という表題とともに隠蔽情報たる支払残高情報５を表示し、隠蔽ラベル６で被覆隠蔽する一方、下紙片３重ね合わせ面には、「ご購入明細」という表題とともに隠蔽情報たる購入明細情報７を表示している。また、前記隠蔽ラベル６の表出面には、「このラベルをはがしてお支払い残高をお確め下さい」という案内情報８を表示している。図２に示すように、上紙片２の表出面側には宛名情報９を表示し、下紙片３の表出面側には差出人情報１０を表示している。
【０００９】
図３に示すように、隠蔽葉書用シート１の重ね合わせ面には、通常では接着せず所定の圧を加えると接着可能となり、接着後に剥離可能で、印字、印刷が可能な感圧性接着剤１１を全面的に塗布し、この塗布面に上述の各情報５，７を印字しているものである。この感圧性接着剤１１としては、印字、印刷が可能で一旦接着すると剥離困難な非剥離性接着剤基剤に、この接着剤基剤に対して非親和性を示す微粒状充てん剤を配合したものが好適である。
【００１０】
上述の接着剤基剤としては、公知の感圧性接着剤を用いればよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。一方、上述の微粒状充てん剤としては、前記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１１】
図３に示すように、隠蔽ラベル６は、疑似接着層１２を介して剥離可能に接着した二枚の透明な合成樹脂、例えば、ポリエチレンとポリエチレンテレフタレートからなるフィルム１３，１４の一方のフィルム１３を、裏面に粘着剤１５で接着し、他方のフィルム１４を粘着剤１６で上紙片２の支払残高情報５表示部分に接着することで、前記上紙片２の重ね合わせ面に接着している。この隠蔽ラベル６は、前記上紙片２に対して、フィルム１３とともに剥離可能である。
【００１２】
そして、隠蔽葉書用シート１を折り用ミシン目４で重ね合わせ面同士を対接するように二つ折りし、感圧性接着剤１１の接着条件である所定の圧を加えることで、図４に示すように、重ね合わせ面を剥離可能に接着した隠蔽葉書１７を得ることができる。この状態で、隠蔽ラベル６に被覆されている支払残高情報５はむろんのこと、購入明細情報７も外部からは視認できない隠蔽状態となり、隠蔽葉書１７は、通常の葉書と同様に投函可能となる。
【００１３】
この隠蔽葉書１７を受領した宛名人は、上紙片２と下紙片３を相対的に離反すると、重ね合わせ面が剥離し、重ね合わせ面に表示されていた購入明細情報７が露出する一方、支払残高情報５は隠蔽ラベル６に被覆されて視認不能な状態にある（図１参照）。ここで、隠蔽ラベル６を捲り上げると、二枚のフィルム１３，１４が疑似接着層１２から分離し、前記フィルム１４を上紙片２の重ね合わせ面に残した状態で、前記フィルム１３は隠蔽ラベル６とともに剥離する。これによって、支払残高情報５を前記フィルム１４を透して視認することができる。
【００１４】
なお、本発明は、上述した実施形態に限定されるものではなく、例えば、購入明細情報７に替えて、秘匿する必要のない一般的な伝達情報を表示してもよく、秘匿性の高い隠蔽情報のみを隠蔽ラベル６で被覆すればよいものである。また、隠蔽ラベル６とフィルム１３の接着は、粘着剤１５によるほか、隠蔽ラベル６の材質によっては、アルミ蒸着を利用することも可能である。さらに、隠蔽ラベル６の上紙片２に対する剥離可能な接着は、疑似接着層１２を介して設けた二枚の樹脂製フィルム１３，１４を用いるほか、一枚の樹脂フィルムを剥離可能な接着剤を介して接着する構造など、適宜変更可能である。
【００１５】
また、上紙片２と下紙片３との重ね合わせ面の剥離可能な接着も、上述した感圧性接着剤１１を利用するものに限らないことはもちろんである。さらにまた、隠蔽葉書１７は、二枚の別体の紙片を重ね合わせて構成したり、三枚の紙片を折り重ね、あるいは三枚の別体の紙片を重ね合わせて構成してもよいものである。またさらに、本発明は隠蔽葉書１７以外の隠蔽情報所持体にも適用可能である。
【００１６】
【発明の効果】
以上説明したところで明らかなように、本願の請求項１に係る発明によれば、剥離可能な重ね合わせ面に表示した隠蔽情報を隠蔽ラベルで被覆したので、隠蔽情報所持体の重ね合わせ面を剥離しても、直ちには隠蔽情報は視認可能とはならないので秘匿性をより向上でき、また、隠蔽ラベルの存在で不透明性が向上し、隠蔽情報所持体に表示した隠蔽情報を外部から透かして視認される虞もなくなるという効果を奏する。
【００１７】
また、本願の請求項２に係る発明によれば、上記請求項１に係る発明の効果に加えて、隠蔽情報所持体の重ね合わせ面及び隠蔽ラベルの確実な接着と、必要時の円滑な剥離を保証できるという効果を奏する。
【図面の簡単な説明】
【図１】葉書形成前のシート状態における重ね合わせ面側を示す平面図。
【図２】同じく表出面側を示す平面図。
【図３】図１のＡ−Ａ線断面図。
【図４】隠蔽葉書を示す斜視図。
【図５】重ね合わせ面を剥離して隠蔽ラベルを剥離した状態を示す平面図。
【符号の説明】
１　　　隠蔽葉書用シート
２　　　上紙片
３　　　下紙片
４　　　折り用ミシン目
５　　　支払残高情報
６　　　隠蔽ラベル
７　　　購入明細情報
１１　　　感圧性接着剤
１２　　　疑似接着層
１３，１４　　　フィルム
１５，１６　　　粘着剤
１７　　　隠蔽葉書
【図１】
2004122417.tif 000003
【図２】
2004122417.tif 000004
【図３】
2004122417.tif 000005
【図４】
2004122417.tif 000006
【図５】
2004122417.tif 000007